(57)【要約】      （修正有）【課題】高い変形性及び良好な耐振性を有するバッテリ接続モジュール及びバッテリ装置の提供。【解決手段】フレキシブル回路基板は担持トレイに設けられ、主基板本体と浮動可能方式で主基板本体に一体に接続され、複数のバスバーにそれぞれ電気的に接続された複数の接続基板本体を含み、各接続基板本体は主基板本体側縁に設けられ、長手方向に延在し、横断方向において対応するバスバーに面し、各接続基板本体は中央部と、長手方向において中央部の２つの反対側からそれぞれ延在する２つの片持ち部を有し、各片持ち部は近位セグメントと遠位セグメントと、近位セグメントと遠位セグメントとの間に配置された湾曲セグメントを有し、湾曲セグメントは少なくとも長手方向及び横断方向に沿って延在し、各接続基板本体は２つの片持ち部の遠位セグメントによってのみ主基板本体に接続され、接続基板本体と主基板本体の間に間隙が形成されている。【選択図】図１
2020191279.tif 000002
【特許請求の範囲】
【請求項１】
バッテリ接続モジュールであって、
担持トレイと、
該担持トレイに設けられた複数のバスバーと、
前記担持トレイに設けられ、主基板本体と、浮動可能な方式で該主基板本体に一体に接続され且つ複数のバスバーにそれぞれ電気的に接続された複数の接続基板本体と、を備えたフレキシブル回路基板と、を備え、各接続基板本体が、前記主基板本体の側縁に設けられ、長手方向に延在し、横断方向において対応するバスバーに面し、各接続基板本体が、中央部と、前記長手方向において前記中央部の２つの反対側にそれぞれ延在する２つの片持ち部と、を有し、各片持ち部が、前記中央部に接続された近位セグメントと、該近位セグメントと反対側の遠位セグメントと、前記近位セグメントと遠位セグメントとの間に配置された湾曲セグメントと、を有し、該湾曲セグメントが、少なくとも前記長手方向及び横断方向に沿って延在し、各接続基板本体が、２つの片持ち部の遠位セグメントによってのみ前記主基板本体に接続され、前記接続基板本体と主基板本体との間に間隙が形成されている、バッテリ接続モジュール。
【請求項２】
前記間隙が、前記中央部と前記主基板本体との間に配置された第１の間隙と、前記２つの片持ち部と前記主基板本体との間にそれぞれ配置され且つ前記第１の間隙と連通する２つの第２の間隙とに分割されている、請求項１に記載のバッテリ接続モジュール。
【請求項３】
各湾曲セグメントが、前記主基板本体の前記側縁に対して前記対応するバスバーから離れる方向に向かって内向きに凹んでおり、各湾曲セグメントが、Ｕ字形であり且つ前記対応するバスバーに向かって開いている、請求項２に記載のバッテリ接続モジュール。
【請求項４】
前記第１の間隙が、長手方向部と、該長手方向部の両端にそれぞれ垂直に接続された２つの横断方向部と、を有し、各片持ち部の近位セグメントが、前記長手方向において前記中央部に接続され、各片持ち部の遠位セグメントが、前記長手方向において前記主基板本体に接続されている、請求項３に記載のバッテリ接続モジュール。
【請求項５】
前記第２の間隙のそれぞれの尾端に拡大孔が形成されている、請求項４に記載のバッテリ接続モジュール。
【請求項６】
各湾曲セグメントがＬ字形であり、各片持ち部が、更に、前記近位セグメントと湾曲セグメントとを接続する長手方向セグメントと、前記湾曲セグメントと前記遠位セグメントとを接続する横断方向セグメントと、を有する、請求項２に記載のバッテリ接続モジュール。
【請求項７】
各片持ち部の近位セグメントが、前記長手方向において前記中央部に接続され、各片持ち部の遠位セグメントが、前記横断方向において前記主基板本体に接続され、第１の間隙が、長手方向部と、該長手方向部の両端にそれぞれ垂直に接続された２つの横断方向部と、を有する、請求項６に記載のバッテリ接続モジュール。
【請求項８】
前記横断方向セグメントと前記主基板本体との間に第３の間隙が更に形成されており、該第３の間隙及び第２の間隙が、前記横断方向セグメントの両側に配置されている、請求項７に記載のバッテリ接続モジュール。
【請求項９】
前記第２の間隙のそれぞれの尾端及び前記第３の間隙のそれぞれの尾端が、それぞれ、拡大孔を有して形成されている、請求項８に記載のバッテリ接続モジュール。
【請求項１０】
前記複数の接続基板本体が、前記主基板本体の側縁に対して対応するバスバーに向かって突出しており、各湾曲セグメントが、Ｕ字形であり、対応するバスバーに向かって突出している、請求項２に記載のバッテリ接続モジュール。
【請求項１１】
前記第１の間隙が、前記中央部の側面の輪郭に沿って前記長手方向に延在する長手方向部を有し、２つの第２の間隙が、２つの片持ち部の側面の輪郭に沿って前記長手方向部の両端からそれぞれ屈曲して延在している、請求項１０に記載のバッテリ接続モジュール。
【請求項１２】
各片持ち部の近位セグメントが、前記長手方向の中央部に接続され、各片持ち部の遠位セグメントが、前記横断方向において前記主基板本体に接続されている、請求項１１に記載のバッテリ接続モジュール。
【請求項１３】
前記フレキシブル回路基板が、それぞれが対応する接続基板本体の外側に配置されたストリップ形状の側部基板本体を有し、各接続基板本体が前記主基板本体と対応する側部基板本体との間に配置されるように、各側部基板本体が前記主基板本体に一体的に接続されている、請求項２に記載のバッテリ接続モジュール。
【請求項１４】
前記担持トレイが、各接続基板本体の中央部に対応する凹部を備えている、請求項１〜１３のいずれか１項に記載のバッテリ接続モジュール。
【請求項１５】
バッテリ装置であって、
バッテリセットと、
前記バッテリ接続モジュールの複数のバスバーが、前記バッテリセットに電気的且つ機械的に接続されている、請求項１〜１４のいずれか１項に記載のバッテリ接続モジュールと、
前記フレキシブル回路基板の前記複数の中央部と、前記バッテリ接続モジュールの複数のバスバーとの間にそれぞれ接続された複数の導電ブリッジ部品と、を備える、バッテリ装置。
【発明の詳細な説明】
【技術分野】
【０００１】
本開示は、バッテリ接続モジュールに関し、特にバッテリを接続するためのバッテリ接続モジュール及びバッテリ装置に関する。
【背景技術】
【０００２】
バッテリセットが、一般に、車両用のバッテリ装置など、並列に配置された複数の電気化学的充電式バッテリによって形成されたバッテリ装置は、通常、バッテリを直列に接続して一対の出力電極を形成するバッテリ接続モジュールを使用し、電圧、温度などのバッテリの値を監視するための本体としてフレキシブル回路基板から構成されたバッテリ管理システム（ＢＭＳと略記）を備えている。中国特許出願公開第ＣＮ２０６２１１０９８Ｕ号は、バッテリセットのための接続アセンブリを開示している。接続アセンブリは、バッテリセットと電気的に接続された嵌合接続部品と、嵌合接続部品に設けられた接続部材と、を含む。接続部材は、フレキシブル回路基板から作製されることができ、接続本体及び複数の変形部を含む。複数の変形部は、接続本体の外側縁から横断方向及び内向きに延在することによって設けられ、それぞれ、尾端及び先端を有し、変形部が接続本体の横断方向に沿った変形空間を有するように尾端と接続本体との間に横断方向間隙が設けられている。複数の変形部は、嵌合接続部品と電気的且つ機械的に接続されるように使用され、変形空間を通る振動防止性を高め、車両の走行過程における接続安定性を維持する。しかしながら、既存の接続部材及び異なる嵌合接続部品は、設計公差又は人工的組立偏差に起因して、依然として不十分な接続効果を有することがあり、したがって、既存の接続部材の変形性は、依然として改善される必要がある。
【発明の概要】
【０００３】
したがって、本開示の目的は、より高い変形性及びより良好な耐振動効果を有するバッテリ接続モジュール及びバッテリ装置を提供することである。
【０００４】
したがって、いくつかの実施形態では、本開示のバッテリ接続モジュールは、担持トレイと、複数のバスバーと、フレキシブル回路基板と、を備える。複数のバスバーは、担持トレイに設けられる。フレキシブル回路基板は、担持トレイに設けられ、主基板本体と、浮動可能な方式で主基板本体に一体に接続され且つ複数のバスバーにそれぞれ電気的に接続された複数の接続基板本体と、を備え、各接続基板本体は、主基板本体の側縁に設けられ、長手方向に延在し、横断方向において対応するバスバーに面し、各接続基板本体は、中央部と、長手方向において中央部の２つの反対側にそれぞれ延在する２つの片持ち部と、を有し、各片持ち部は、中央部に接続された近位セグメントと、近位セグメントと反対側の遠位セグメントと、近位セグメントと遠位セグメントとの間に配置された湾曲セグメントと、を有し、湾曲セグメントは、少なくとも長手方向及び横断方向に沿って延在し、各接続基板本体は、２つの片持ち部の遠位セグメントによってのみ主基板本体に接続され、接続基板本体と主基板本体との間に間隙が形成されている。
【０００５】
いくつかの実施形態では、複数の接続基板本体は、複数のバスバーに向かって主基板本体の周辺に設けられる。
【０００６】
いくつかの実施形態では、間隙は、中央部と主基板本体との間に配置された第１の間隙と、２つの片持ち部と主基板本体との間にそれぞれ配置され且つ第１の間隙と連通する２つの第２の間隙とに分割されている。
【０００７】
いくつかの実施形態では、第１の間隙は、長手方向部と、長手方向部の両端にそれぞれ垂直に接続された２つの横断方向部と、を有する。
【０００８】
いくつかの実施形態では、各片持ち部の近位セグメントは、長手方向の中央部に接続され、各片持ち部の遠位セグメントは、長手方向において主基板本体に接続されている。
【０００９】
いくつかの実施形態では、各湾曲セグメントは、Ｕ字形であり、外向きに開いている。
【００１０】
いくつかの実施形態では、拡大孔は、第２の間隙のそれぞれの尾端に形成されている。
【００１１】
いくつかの実施形態では、各片持ち部の近位セグメントは、長手方向において中央部に接続され、各片持ち部の遠位セグメントは、横断方向において主基板本体に接続されている。
【００１２】
いくつかの実施形態では、各湾曲セグメントはＬ字形であり、各片持ち部は、更に、近位セグメントと湾曲セグメントとを接続する長手方向セグメントと、湾曲セグメントと遠位セグメントとを接続する横断方向セグメントと、を有し、横断方向セグメントと主基板本体との間に第３の間隙が更に形成され、第３の間隙及び第２の間隙は、横断方向セグメントの両側に配置されている。
【００１３】
いくつかの実施形態では、第２の間隙のそれぞれの尾端及び第３の間隙のそれぞれの尾端は、それぞれ、拡大孔を有して形成されている。
【００１４】
いくつかの実施形態では、複数の接続基板本体は、主基板本体の周辺に対して外向きに突出し、第１の間隙は、中央部の側面の輪郭に沿って長手方向に延在し、第２の間隙のそれぞれは、片持ち部の側面の輪郭に沿って屈曲して延在する。
【００１５】
いくつかの実施形態では、各片持ち部の近位セグメントは、長手方向の中央部に接続され、各片持ち部の遠位セグメントは、横断方向において主基板本体に接続されている。
【００１６】
いくつかの実施形態では、各湾曲セグメントは、Ｕ字形であり、外向きに突出している。
【００１７】
いくつかの実施形態では、フレキシブル回路基板は、更に、主基板本体の周辺に一体的に接続された複数の側部基板本体を有し、各接続基板本体は、主基板本体と対応する側部基板本体との間に配置されている。
【００１８】
いくつかの実施形態では、各湾曲セグメントは、Ｕ字形であり、外向きに開いている。
【００１９】
いくつかの実施形態では、拡大孔は、第２の間隙のそれぞれの尾端に形成されている。
【００２０】
したがって、いくつかの実施形態では、本開示のバッテリ装置は、バッテリセットと、前述のバッテリ接続モジュールと、複数の導電ブリッジ部品と、を備える。バッテリ接続モジュールの複数のバスバーは、バッテリセットに電気的及び機械的に接続されている。複数の導電ブリッジ部品は、フレキシブル回路基板の複数の中央部と、バッテリ接続モジュールの複数のバスバーとの間にそれぞれ接続されている。
【００２１】
本開示は、少なくとも、以下の有益な効果を有する。接続基板本体が、接続基板本体と対応するバスバーとの間の公差を克服するためのより良好な変形性を有し、ひいてはより安定な電気的接続効果及び耐振動効果を達成することができるように、フレキシブル回路基板の接続基板本体の片持ち部は、少なくとも２つの方向に沿って延在するように設計される。
【図面の簡単な説明】
【００２２】
本開示の他の特徴及び効果は、添付の図面と組み合わせて詳細な説明において明らかとなるであろう。
【００２３】
【図１】本開示のバッテリ装置の第１の実施形態の斜視図である。
【図２】第１の実施形態の分解斜視図である。
【図３】第１の実施形態のバッテリ接続モジュールの平面図である。
【図４】バッテリ接続モジュールの分解斜視図である。
【図５】バッテリ接続モジュールの担持トレイの斜視図である。
【図６】複数の導電ブリッジ部品と、複数の温度センサと、バッテリ接続モジュールにおける電気コネクタとを接続するフレキシブル回路基板の斜視図である。
【図７】フレキシブル回路基板、複数の導電ブリッジ部品、及び複数の温度センサの分解斜視図である。
【図８】フレキシブル回路基板の平面図である。
【図９】フレキシブル回路基板の接続基板本体を示す、図８の部分拡大図である。
【図１０】本開示のバッテリ装置の第２の実施形態のバッテリ接続モジュールのフレキシブル回路基板の平面図である。
【図１１】フレキシブル回路基板の接続基板本体を示す、図１０の部分拡大図である。
【図１２】本開示のバッテリ装置の第３の実施形態のバッテリ接続モジュールのフレキシブル回路基板の平面図である。
【図１３】フレキシブル回路基板の接続基板本体及び側部基板本体を示す、図１２の部分拡大図である。
【図１４】第３の実施形態の導電ブリッジ部品の支持を支援するために使用される側部基板本体を示す部分概略図である。
【図１５】本開示のバッテリ装置の第４の実施形態のバッテリ接続モジュールのフレキシブル回路基板の接続基板本体を示す部分概略図である。
【符号の説明】
【００２４】
参照符号は、以下のように表される。
【００２５】
１００    バッテリ装置
１    バッテリセット
１１    端板
１２    バッテリ
１２１    正極
１２２    負極
２    バッテリ接続モジュール
３    担持トレイ
３１    ベース壁
３１１    排気孔
３１２    位置決めポスト
３１３    凹部
３２    フレーム壁
３２１    位置制限フック
３４    支持リブ
３５    位置制限壁
３５１    位置制限ブロック
３６    ベースシート
３６１    ラッチ部
３７    取り付けゾーン
３７１    取り付け溝
３８    ラッチブロック
４    バスバー
４１    電極接続部
４２    緩衝突起
４３    外側電極
５    フレキシブル回路基板
５１    主基板本体
５１１    位置決め孔
５２    接続基板本体
５２１    中央部
５２２    片持ち部
５２２ａ    近位セグメント
５２２ｂ    遠位セグメント
５２２ｃ    湾曲セグメント
５２２ｄ    長手方向セグメント
５２２ｅ    横断方向セグメント
５３    第１の間隙
５３１    長手方向部
５３２    横断方向部
５４    第２の間隙
５４１    拡大孔
５５    側部接続基板本体
５６    直立基板本体
５７    側部基板本体
５８    第３の間隙
５８１    拡大孔
５９    熱伝導板
６    導電ブリッジ部品
６１    補強部品
６２    接着剤
７    温度センサ
８    電気コネクタ
８１    ラッチ部
９    上部カバー
９１    上部カバー本体
９２    側部カバー本体
９３    出力ポート
９４    ラッチ孔
９５    開口部
Ｄ１    長手方向
Ｄ２    横断方向
Ｄ３    上下方向
【発明を実施するための形態】
【００２６】
本開示を詳細に説明する前に、同様の要素は、以下の説明において同じ参照符号によって示されることに留意すべきである。
【００２７】
図１及び図２を参照すると、本開示のバッテリ装置１００の第１の実施形態は、バッテリセット１と、バッテリ接続モジュール２と、上部カバー９と、を含む。
【００２８】
バッテリセット１は、バッテリボックス（図示せず）内に収容されるように適合され、長手方向Ｄ１に互いに離間した２つの端板１１と、２つの端板１１の間に設けられ且つ長手方向Ｄ１に緊密に配置された複数のバッテリ１２と、を含む。各バッテリ１２は、上向きに面する正極１２１及び負極１２２を有する。本実施形態では、３つのバッテリ１２が全てグループとして配置され、バッテリ１２の各グループの同じ極性の電極は、同じ側に配置され、バッテリ１２の隣接する２つのグループの電極は、逆に配置されている。
【００２９】
図３から図５を参照すると、バッテリ接続モジュール２は、バッテリセット１内の複数のバッテリ１２を直列に接続するために使用され、温度、電圧、電流などの各バッテリ１２の状態を検出及び報告することができる。バッテリ接続モジュール２は、担持トレイ３と、複数のバスバー４と、フレキシブル回路基板５と、複数の導電ブリッジ部品６と、複数の温度センサ７と、電気コネクタ８と、を含む。担持トレイ３は、絶縁材料から作製され、担持トレイ３は、長手方向Ｄ１に延在するその長さ方向と、横断方向Ｄ２に延在するその幅方向と、を有する矩形形状である。担持トレイ３は、バッテリセット１を覆い、ベース壁３１と、横断方向Ｄ２においてベース壁３１の反対側の外側に配置され且つ長手方向Ｄ１に沿って分布された複数の取り付けゾーン３７と、を有する。ベース壁３１は、担持トレイ３の中央長手方向長さ領域に配置され、楕円形であり且つ長手方向Ｄ１に沿って配置された複数の排気孔３１１と、上下方向Ｄ３においてベース壁３１の上面に設けられた複数の位置決めポスト３１２と、横断方向Ｄ２においてベース壁３１の２つの対向する側面から内向きに形成され且つベース壁３１の上面から下向きに凹んだ複数の凹部３１３と、を有する。複数の排気孔３１１は、バッテリセット１の動作中に発生した排熱及びガスの排出を支援するために、バッテリボックス内で空気が流れることを可能にするように適合されている。
【００３０】
各取り付けゾーン３７は、ベース壁３１に接続されたフレーム壁３２とベース壁３１とによって囲まれた矩形フレームゾーンであり、各取り付けゾーン３７は、フレーム壁３２及びベース壁３１に接続された複数の支持リブ３４によってバッテリ１２の正極１２１又は負極１２２に対応するために使用される複数の取り付け溝３７１に分割されている。ベース壁３１の複数の凹部３１３は、それぞれ、複数の取り付けゾーン３７に対応し、各凹部３１３は、対応する取り付けゾーン３７内の取り付け溝３７１のうちの１つと連通している。担持トレイ３は、更に、横断方向Ｄ２においてベース壁３１の２つの対向する側面から上向きに延在し且つ横断方向Ｄ２においてフレキシブル回路基板５を制限するために使用される複数の位置制限壁３５を有する。複数の位置制限壁３５は、複数の取り付けゾーン３７に対応する位置制限ブロック３５１を有し、各フレーム壁３２は、その内側表面に設けられた位置制限フック３２１を有し、複数の位置制限ブロック３５１及び複数の位置制限フック３２１及び複数の支持リブ３４は、複数のバスバー４が上下方向Ｄ３において浮動することができるように複数の位置制限ブロック３５１及び複数の位置制限フック３２１が複数のバスバー４を上方から制限し且つ複数の支持リブ３４が複数のバスバー４を下方から制限するように協働する。複数の位置制限壁３５は、横断方向Ｄ２においてフレキシブル回路基板５を制限するために使用され、複数のバスバー４を複数のフレーム壁３２によって制限することができる。本実施形態では、担持トレイ３は、更に、ベース壁３１の上面に一体的に設けられたベースシート３６を有し、ベースシート３６は、電気コネクタ８とラッチするために使用される２つのラッチ部３６１を有する。
【００３１】
複数のバスバー４は、複数の取り付けゾーン３７にそれぞれ設けられている。各バスバー４は、平坦プレート形状であり且つ複数の取り付け溝３７１内に対応して収容される複数の電極接続部４１と、それぞれが２つの電極接続部４１の間に接続された複数の緩衝突起４２と、を有する。複数の緩衝突起４２は、それぞれ、複数の支持リブ３４に対応して配置されている。複数のバスバー４の電極接続部４１は、複数のバッテリ１２の正極１２１及び負極１２２を、取り付け溝３７１を介して下向きに機械的且つ電気的に接続し、それによって複数のバッテリ１２を直列に接続する。担持トレイ３の両端に配置されたバスバー４は、それぞれ、外側電極４３を有し、それによって外向きに直列に接続されたバッテリ１２の電力を出力する。
【００３２】
図４、図６及び図７を参照すると、フレキシブル回路基板５は、担持トレイ３のベース壁３１に設けられ、主基板本体５１及び複数の接続基板本体５２を有する。主基板本体５１は、ベース壁３１の複数の位置決めポスト３１２がそれぞれ貫通する複数の位置決め孔５１１を有し、本実施形態では、複数の位置決めポスト３１２と複数の位置決め孔５１１とが相対的に固定されるように、複数の位置決めポスト３１２は、ホットメルトによって複数の位置決め孔５１１を通って設けられている。複数の接続基板本体５２は、主基板本体５１に浮動可能に一体的に接続され、複数のバスバー４と電気的に接続されるように複数の導電ブリッジ部品６とそれぞれ機械的且つ電気的に接続されている。
【００３３】
図８及び図９を参照して組み合わせると、複数の接続基板本体５２は、主基板本体５１の側縁に設けられ、長手方向Ｄ１に延在し、横断方向Ｄ２において複数のバスバー４にそれぞれ面している。複数の接続基板本体５２は、複数の接続基板本体５２が浮動して変形することができる空間を増やすように複数の凹部３１３にそれぞれ配置されている。各接続基板本体５２は、矩形である中央部５２１と、中央部５２１の２つの対向する側面からそれぞれ延在する２つの片持ち部５２２と、を有する。本実施形態では、中央部５２１の外側は、主基板本体５１の側縁と同一平面であり、中央部５２１の上面は、対応する導電ブリッジ部品６をその上に設けるために使用される。複数の中央部５２１は、複数の凹部３１３の上方にそれぞれ配置されている。各片持ち部５２２は、中央部５２１に接続された近位セグメント５２２ａと、主基板本体５１に接続された遠位セグメント５２２ｂと、近位セグメント５２２ａと遠位セグメント５２２ｂとの間に位置付けられた湾曲セグメント５２２ｃと、を有する。近位セグメント５２２ａは、長手方向Ｄ１において対応するバスバー４に近接する中央部５２１の側方の端部に接続され、遠位セグメント５２２ｂは、長手方向Ｄ１において主基板本体５１に接続され、したがって、各接続基板本体５２は、接続基板本体５２と主基板本体５１との間に間隙が形成されるように、両側の片持ち部５２２の２つの遠位セグメント５２２ｂのみによって主基板本体５１に接続されて二重支持構成を形成している。更にまた、間隙は、中央部５２１の内側と主基板本体５１との間に配置され且つ中央部５２１の輪郭に沿って形成された第１の間隙５３と、２つの片持ち部５２２と主基板本体５１との間にそれぞれ配置され、それぞれ２つの片持ち部５２２の輪郭に沿って形成され且つ第１の間隙５３と連通する２つの第２の間隙５４とに分割されている。本実施形態では、中央部５２１が矩形であることから、第１の間隙５３は、長手方向Ｄ１に延在する長手方向部５３１と、長手方向部５３１の両端にそれぞれ垂直に接続され且つ横断方向Ｄ２に延在する２つの横断方向部５３２と、を有する。拡大孔５４１が第２の間隙５４のそれぞれの尾端に形成されており、２つの拡大孔５４１は、各接続基板本体５２のプロセスにおいて切断することによって第１の間隙５３及び２つの第２の間隙５４を形成するための開始端部及び終了端部としてそれぞれ使用され、２つの第２の間隙５４が切断プロセスにおいて予期せぬ方向又は長さに形成されることを防止することができる。湾曲セグメント５２２ｃは、湾曲セグメント５２２ｃがＵ字形であり且つ対応するバスバー４に向かって開いているように、最初に横断方向Ｄ２に沿って内向きに延在した後、長手方向Ｄ１に沿って延在し、最後に横断方向Ｄ２に沿って外向きに延在している。接続基板本体５２の２つの湾曲セグメント５２２ｃは、少なくとも２つの方向に沿って延在するように設計されており、接続基板本体５２の浮動性及び変形性は、各接続基板本体５２と対応するバスバー４との間の位置ずれを克服し、ひいては各導電ブリッジ部品６の耐振動性を向上させるように大幅に高められる。
【００３４】
図６及び図７を再び参照すると、複数の導電ブリッジ部品６は、それぞれ、その一端において対応する中央部５２１の上面に接続され、複数の導電ブリッジ部品６は、複数のバスバー４にそれぞれ機械的且つ電気的に接続されている。本実施形態では、接合又は溶接によって中央部５２１の底面に補強部品６１を設けることができ、導電ブリッジ部品６を覆うために、接着剤６２が導電ブリッジ部品６上に設けられることができ、そのため、導電ブリッジ部品６と中央部５２１との間の接続関係が強化され、導電ブリッジ部品６は、例えば溶接によって中央部５２１とバスバー４とを接続することができる。
【００３５】
フレキシブル回路基板５は、更に、複数の側部接続基板本体５５及び直立基板本体５６を有する。複数の側部接続基板本体５５は、複数のバスバー４に向かって主基板本体５１の側縁に設けられ、複数の温度センサ７が対応して設けられることを可能にする。各側部接続基板本体５５は、熱伝導板５９に更に接続され、熱伝導板５９の両端は、温度センサ７が検出することを可能にするようにバスバー４から側部接続基板本体５５に熱が伝達されることができるように、側部接続基板本体５５及びバスバー４にそれぞれ接続されている。直立基板本体５６は、主基板本体５１に垂直且つ一体的に接続されており、電気コネクタ８がその上に設けられてそれと接続されることを可能にする。フレキシブル回路基板５上に配置された回路トレースを介して、複数の温度センサ７によって検出された信号は、直立基板本体５６に接続された電気コネクタ８に伝送されることができる。図５及び図６を参照すると、電気コネクタ８は、それぞれ、担持トレイ３のベースシート３６の２つのラッチ部３６１と取り外し可能に接続されるために使用される２つのラッチ部８１を有する。
【００３６】
図２及び図４を参照すると、上部カバー９は、バッテリ接続モジュール２を覆うために使用され、上部カバー本体９１と、上部カバー本体９１の側縁から下向きに延在する側部カバー本体９２と、上部カバー本体９１の両端にそれぞれ形成された２つの出力ポート９３と、上部カバー本体９１と側部カバー本体９２との接合部に形成された複数のラッチ孔９４と、上部カバー本体９１に設けられた開口部９５と、を有する。２つの出力ポート９３は、２つの外側電極４３をそれぞれ露出させる。担持トレイ３は、更に、フレーム壁３２の外側に設けられた複数のラッチブロック３８を有し、複数のラッチブロック３８は、複数のラッチ孔９４がそれぞれラッチすることを可能にするために使用される。開口部９５は、電気コネクタ８を対応して露出させる。
【００３７】
フレキシブル回路基板５は、異なる様々な実装を有してもよく、以下の実施形態は、フレキシブル回路基板５の様々な実装を例示することを意図するにすぎず、バッテリ装置１００の他の構成要素は、前述の第１の実施形態のものと同じであり、繰り返さない。
【００３８】
図１０及び図１１を参照すると、本開示のバッテリ装置１００の第２の実施形態が示されているが、第１の実施形態と比較して、第２の実施形態の複数の接続基板本体５２は、それぞれ、主基板本体５１の対応する側縁に対して対応するバスバー４に向かって完全に突出している。更に、各中央部５２１と主基板本体５１との間の第１の間隙５３が中央部５２１の側面の輪郭に沿って長手方向Ｄ１に延在する長手方向部５３１のみを有し、横断方向Ｄ２に延在する横断方向部５３２（図９を参照）を有しないように、中央部５２１及び２つの片持ち部５２２は、対応するバスバー４に向かって横断方向Ｄ２に延在し、片持ち部５２２の近位セグメント５２２ａは、長手方向Ｄ１において対応するバスバー４から離れて中央部５２１の側面の端部に接続され、片持ち部５２２の遠位セグメント５２２ｂは、横断方向Ｄ２において主基板本体５１に接続されている。２つの第２の間隙５４が最初に外向きに屈曲した後、第１の間隙５３の両端から２つの片持ち部５２２の内側の輪郭に沿ってそれぞれ内向きに屈曲するように（前述の「外向き」は、対応するバスバー４に向かう方向を指し、「内向き」は、対応するバスバー４から離れる方向を指す）、片持ち部５２２の湾曲セグメント５２２ｃは、対応するバスバー４に向かってＵ字形に突出している。
【００３９】
図１２から図１４を参照すると、本開示のバッテリ装置１００の第３の実施形態が示されているが、第１の実施形態と比較して、第３の実施形態のフレキシブル回路基板５は、更に、それぞれが対応する接続基板本体５２の外側に配置されたストリップ形状の側部基板本体５７を有し、各側部基板本体５７は、主基板本体５１と対応する側部基板本体５７との間に各接続基板本体５２が配置されるように、主基板本体５１に一体的に接続されている。側部基板本体５７は、対応する導電ブリッジ部品６の支持を支援するために使用される。
【００４０】
図１５を参照すると、本開示のバッテリ装置１００の第４の実施形態が示されており、第４の実施形態の接続基板本体５２の片持ち部５２２の近位セグメント５２２ａは、長手方向Ｄ１において対応するバスバー４に近接する中央部５２１の側面の端部に接続され、片持ち部５２２の遠位セグメント５２２ｂは、対応するバスバー４から離れる方向に向かって主基板本体５１へと延在し且つ横断方向Ｄ２において主基板本体５１に接続されている。２つの湾曲セグメント５２２ｃは、Ｌ字形であり、各片持ち部５２２は、更に、近位セグメント５２２ａと湾曲セグメント５２２ｃとを接続し且つ長手方向Ｄ１に延在する長手方向セグメント５２２ｄと、湾曲セグメント５２２ｃと遠位セグメント５２２ｂとを接続し且つ横断方向Ｄ１に延在する横断方向セグメント５２２ｅと、を有する。横断方向セグメント５２２ｅと主基板本体５１との間に第３の間隙５８が形成され、第３の間隙５８及び第２の間隙５４は、横断方向セグメント５２２ｅの両側に配置され、第３の間隙５８の尾端に拡大孔５８１が形成されている。
【００４１】
結論として、本開示のバッテリ装置１００では、フレキシブル回路基板５の接続基板本体５２の片持ち部５２２は、接続基板本体５２が接続基板本体５２と対応するバスバー４との間の公差を克服するためのより良好な変形性を有し、ひいては導電ブリッジ部品６がより安定した電気的接続効果及び耐振動効果を達成することができるように、少なくとも２つの方向に沿って延在するように設計されており、したがって、本開示の目的は、実際に達成されることができる。
【００４２】
しかしながら、上述した説明は、本開示の実施形態にすぎず、本開示の実装の範囲を限定することはできず、すなわち、添付の特許請求の範囲及び本開示の明細書の内容に従って構成された単純な均等の変形及び変更は、依然として本開示の範囲内に含まれる。
【図１】
2020191279.tif 000003
【図２】
2020191279.tif 000004
【図３】
2020191279.tif 000005
【図４】
2020191279.tif 000006
【図５】
2020191279.tif 000007
【図６】
2020191279.tif 000008
【図７】
2020191279.tif 000009
【図８】
2020191279.tif 000010
【図９】
2020191279.tif 000011
【図１０】
2020191279.tif 000012
【図１１】
2020191279.tif 000013
【図１２】
2020191279.tif 000014
【図１３】
2020191279.tif 000015
【図１４】
2020191279.tif 000016
【図１５】
2020191279.tif 000017